【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
無線ＬＡＮ（ＷＬＡＮ）システムにおいてフィードバックフレームを送信する方法であって、
第１のＳＴＡが、ＭＵ−ＭＩＭＯビームフォーミングに基づいて前記フィードバックフレームを生成するステップと、
前記第１のＳＴＡが、前記フィードバックフレームを第２のＳＴＡに送信するステップと、
を含み、
前記フィードバックフレームは、予め設定された周波数帯域に対するフィードバックサブキャリアと関連した情報及び前記ＭＵ−ＭＩＭＯビームフォーミングのためのビームフォーミング報告フィールドを含み、
前記フィードバックサブキャリアは、前記フィードバックサブキャリアで１番目に送信される第１のサブキャリア、及び第２のサブキャリアを含み、前記第２のサブキャリアはグルーピング値の分だけ離れ、
前記第１のサブキャリアは、前記予め設定された周波数帯域の左側エッジサブキャリアまたは右側エッジサブキャリアのうち１つに設定され、
前記ビームフォーミング報告フィールドは、前記第１のサブキャリアに対する第１のＳＮＲ及び前記第２のサブキャリアに対する第１の差等ＳＮＲを含み、
前記第１の差等ＳＮＲは、前記フィードバックサブキャリアに含まれた隣接したサブキャリア間ＳＮＲ差である、方法。
【請求項２】
前記第１のＳＮＲは、空間時間ストリームに対して下記の数式に基づいて取得され、
【数１】
2020524461.tif 000001
前記Ｈｓｃｉｄｘ（０）は、前記第１のサブキャリアに対する推定されたＭＩＭＯチャネルであり、
前記Ｖｓｃｉｄｘ（０）、ｉは、前記第１のサブキャリアに対するビームフォーミング行列Ｖのｉ番目の列であり、
前記ｉは、前記空間時間ストリームのインデックスであり、
前記Ｎは、前記第１のＳＴＡから測定された平均ノイズプラス干渉電力である、請求項１に記載の方法。
【請求項３】
前記第１のＳＮＲは、グラニュラリティが０．２５ｄＢであり、最小値が−８ｄＢであり、最大値が５５．７５ｄＢであり、
前記第１のＳＮＲは、前記グラニュラリティ、前記最小値、及び前記最大値に基づいて８ビットに量子化される、請求項２に記載の方法。
【請求項４】
前記第１の差等ＳＮＲは、空間時間ストリームに対して下記の数式に基づいて取得され、
【数２】
2020524461.tif 000002
前記ｋは、前記第２のサブキャリアのサブキャリアインデックスであり、
前記Ｈｋは、ｋ番目のフィードバックサブキャリアに対する推定されたＭＩＭＯチャネルであり、
前記Ｖｋ、ｉは、ｋ番目のフィードバックサブキャリアに対するビームフォーミング行列Ｖのｉ番目の列であり、
前記ｉは、前記空間時間ストリームのインデックスであり、
前記Ｎは、前記第１のＳＴＡから測定された平均ノイズプラス干渉電力である、請求項１に記載の方法。
【請求項５】
前記第１の差等ＳＮＲは、グラニュラリティが１ｄＢであり、最小値が−８ｄＢであり、最大値が７ｄＢであり、
前記第１の差等ＳＮＲは、前記グラニュラリティ、前記最小値、及び前記最大値に基づいて４ビットに量子化される、請求項４に記載の方法。
【請求項６】
前記第１のサブキャリアのサブキャリアインデックスが１である場合、
前記第２のサブキャリアは、サブキャリアインデックスが２である第３のサブキャリア及びサブキャリアインデックスが３である第４のサブキャリアを含み、
前記第３のサブキャリアに対する第２の差等ＳＮＲは、前記第１のサブキャリアと前記第３のサブキャリアとの間のＳＮＲ差であり、
前記第２の差等ＳＮＲは、前記ｋ＝２であるとき、前記数式に基づいて取得され、
前記第４のサブキャリアに対する第３の差等ＳＮＲは、前記第２のサブキャリアと前記第３のサブキャリアとの間のＳＮＲ差であり、
前記第３の差等ＳＮＲは、前記ｋ＝３であるとき、前記数式に基づいて取得される、請求項４に記載の方法。
【請求項７】
前記第４のサブキャリアは、前記第３のサブキャリアから前記グルーピング値の分だけ離れたフィードバックサブキャリアである、請求項６に記載の方法。
【請求項８】
前記予め設定された周波数帯域は、単一チャネル、２つのボンディングされたチャネル、３つのボンディングされたチャネル、または４つのボンディングされたチャネルに設定され、
前記グルーピング値は、２、４、８、または１６のうち１つの値に設定され、
前記第２のサブキャリアは、前記第１のサブキャリアを除いたフィードバックサブキャリアである、請求項１に記載の方法。
【請求項９】
無線ＬＡＮ（ＷＬＡＮ）システムにおいてフィードバックフレームを送信するＳＴＡ装置であって、
メモリと、
トランシーバと、
前記メモリ及び前記トランシーバと動作可能に結合されたプロセッサと、
を備え、
前記プロセッサは、
ＭＵ−ＭＩＭＯビームフォーミングに基づいてフィードバックフレームを生成し、
前記フィードバックフレームを第２のＳＴＡ装置に送信するよう構成され、
前記フィードバックフレームは、予め設定された周波数帯域に対するフィードバックサブキャリアと関連した情報及び前記ＭＵ−ＭＩＭＯビームフォーミングのためのビームフォーミング報告フィールドを含み、
前記フィードバックサブキャリアは、前記フィードバックサブキャリアで１番目に送信される第１のサブキャリア、及び第２のサブキャリアを含み、前記第２のサブキャリアはグルーピング値の分だけ離れ、
前記第１のサブキャリアは、前記予め設定された周波数帯域の左側エッジサブキャリアまたは右側エッジサブキャリアのうち１つに設定され、
前記ビームフォーミング報告フィールドは、前記第１のサブキャリアに対する第１のＳＮＲ及び前記第２のサブキャリアに対する第１の差等ＳＮＲを含み、
前記第１の差等ＳＮＲは、前記フィードバックサブキャリアに含まれた隣接したサブキャリア間ＳＮＲ差である、ＳＴＡ装置。
【請求項１０】
前記第１のＳＮＲは、空間時間ストリームに対して下記の数式に基づいて取得され、
【数３】
2020524461.tif 000003
前記Ｈｓｃｉｄｘ（０）は、前記第１のサブキャリアに対する推定されたＭＩＭＯチャネルであり、
前記Ｖｓｃｉｄｘ（０）、ｉは、前記第１のサブキャリアに対するビームフォーミング行列Ｖのｉ番目の列であり、
前記ｉは、前記空間時間ストリームのインデックスであり、
前記Ｎは、第１のＳＴＡから測定された平均ノイズプラス干渉電力である、請求項９に記載のＳＴＡ装置。
【請求項１１】
前記第１のＳＮＲは、グラニュラリティが０．２５ｄＢであり、最小値が−８ｄＢであり、最大値が５５．７５ｄＢであり、
前記第１のＳＮＲは、前記グラニュラリティ、前記最小値、及び前記最大値に基づいて８ビットに量子化される、請求項１０に記載のＳＴＡ装置。
【請求項１２】
前記第１の差等ＳＮＲは、空間時間ストリームに対して下記の数式に基づいて取得され、
【数４】
2020524461.tif 000004
前記ｋは、前記第２のサブキャリアのサブキャリアインデックスであり、
前記Ｈｋは、ｋ番目のフィードバックサブキャリアに対する推定されたＭＩＭＯチャネルであり、
前記Ｖｋ、ｉは、ｋ番目のフィードバックサブキャリアに対するビームフォーミング行列Ｖのｉ番目の列であり、
前記ｉは、前記空間時間ストリームのインデックスであり、
前記Ｎは、第１のＳＴＡから測定された平均ノイズプラス干渉電力である、請求項９に記載のＳＴＡ装置。
【請求項１３】
前記第１の差等ＳＮＲは、グラニュラリティが１ｄＢであり、最小値が−８ｄＢであり、最大値が７ｄＢであり、
前記第１の差等ＳＮＲは、前記グラニュラリティ、前記最小値、及び前記最大値に基づいて４ビットに量子化される、請求項１２に記載のＳＴＡ装置。
【請求項１４】
前記第１のサブキャリアのサブキャリアインデックスが１である場合、
前記第２のサブキャリアは、サブキャリアインデックスが２である第３のサブキャリア及びサブキャリアインデックスが３である第４のサブキャリアを含み、
前記第３のサブキャリアに対する第２の差等ＳＮＲは、前記第１のサブキャリアと前記第３のサブキャリアとの間のＳＮＲ差であり、
前記第２の差等ＳＮＲは、前記ｋ＝２であるとき、前記数式に基づいて取得され、
前記第４のサブキャリアに対する第３の差等ＳＮＲは、前記第２のサブキャリアと前記第３のサブキャリアとの間のＳＮＲ差であり、
前記第３の差等ＳＮＲは、前記ｋ＝３であるとき、前記数式に基づいて取得される、請求項１２に記載のＳＴＡ装置。
【請求項１５】
無線ＬＡＮ（ＷＬＡＮ）システムにおいてフィードバックフレームを受信する方法であって、
第１のＳＴＡが、第２のＳＴＡからＭＵ−ＭＩＭＯビームフォーミングに基づいて生成されたフィードバックフレームを受信するステップと、
前記第１のＳＴＡが、前記フィードバックフレームに基づいて前記第２のＳＴＡにデータを送信するステップと、
を含み、
前記フィードバックフレームは、予め設定された周波数帯域に対するフィードバックサブキャリアと関連した情報及び前記ＭＵ−ＭＩＭＯビームフォーミングのためのビームフォーミング報告フィールドを含み、
前記フィードバックサブキャリアは、前記フィードバックサブキャリアで１番目に送信される第１のサブキャリア、及び第２のサブキャリアを含み、前記第２のサブキャリアはグルーピング値の分だけ離れ、
前記第１のサブキャリアは、前記予め設定された周波数帯域の左側エッジサブキャリアまたは右側エッジサブキャリアのうち１つに設定され、
前記ビームフォーミング報告フィールドは、前記第１のサブキャリアに対する第１のＳＮＲ及び前記第２のサブキャリアに対する第１の差等ＳＮＲを含み、
前記第１の差等ＳＮＲは、前記フィードバックサブキャリアに含まれた隣接したサブキャリア間ＳＮＲ差である、方法。